(57)【要約】【課題】簡単な構造で美観性に優れるとともに十分な強度を有する棚板用支柱を提供すること。【解決手段】上下に位置する棚板５００，５００間に設けられ両棚板５００，５００を連結する棚板用支柱１で、板状で立設される側面板１０の上側，下側，奥側及び手前側の四周端部から右側に向けて天板２０，底板３０，後面板４０及び前面板５０がそれぞれ延び、内部が空洞で右側面が開放され、天板２０及び底板３０には棚板５００に連結する締結部材を貫通するための穴２０Ｈ，３０Ｈが形成されてなる本体部１００と、本体部１００を右側から覆って開放した右側面を閉じて四角柱型にする、板状で着脱自在の蓋体２００を備える。【選択図】      図１
2018015333.tif 000002
【特許請求の範囲】
【請求項１】
上下に位置する棚板間に設けられ両棚板を連結する棚板用支柱であって、
板状で立設される側面板の上側，下側，奥側及び手前側の四周端部から右側に向けて天板，底板，後面板及び前面板がそれぞれ延び、内部が空洞で右側面が開放され、前記天板及び底板には前記棚板に連結する締結部材を貫通するための穴が形成されてなる本体部と、
前記本体部を右側から覆って開放した前記右側面を閉じて四角柱型にする、板状で着脱自在の蓋体を備えることを特徴とする棚板用支柱。
【請求項２】
前記蓋体は、前記本体部に対して固定部材を介して着脱自在に取付けられてなるとともに、前記固定部材は、前記蓋体が閉じられかつ前記両棚板が連結された際には前記本体部及び前記蓋体の表面から露出しないことを特徴とする請求項１に記載の棚板用支柱。
【請求項３】
前記天板の右側端部は下方にＬ字状に折り曲げられるとともに、前記底板の右側端部も上方にＬ字状に折り曲げられ、
さらに、前記後面板の右側端部も前方にＬ字状に折り曲げられるとともに、前記前面板の右側端部も後方にＬ字状に折り曲げられ、
前記固定部材は、前記天板の折り曲げられた部位に前記蓋体側に突出しない状態で設けられるとともに、
前記後面板及び前面板の右側への突出量は、前記天板及び底板の右側への突出量に前記蓋体の厚みを加えた量であり、前記蓋体で前記本体部の右側面を閉じたときに、前記蓋体は前記後面板及び前面板の折り曲げられた部位と面一にされてなることを特徴とする請求項２に記載の棚板用支柱。
【請求項４】
前記天板の右側端部は下方にＬ字状に折り曲げられるとともに、前記底板の右側端部も上方にＬ字状に折り曲げられ、
さらに、前記後面板の右側端部も前方にＬ字状に折り曲げられるとともに、前記前面板の右側端部も後方にＬ字状に折り曲げられ、
前記固定部材は、前記天板の折り曲げられた部位に前記蓋体側に一定量（Ｚ）突出した状態で設けられるとともに、
前記後面板及び前面板の右側への突出量は、前記天板の右側への突出量に前記一定量（Ｚ）と前記蓋体の厚みを加えた量であるとともに、前記底板の右側への突出量に前記蓋体の厚みを加えた量であり、前記蓋体で前記本体部の右側面を閉じたときに、前記蓋体は前記後面板及び前面板の折り曲げられた部位と面一にされてなることを特徴とする請求項２に記載の棚板用支柱。
【請求項５】
前記天板の横幅及び前記底板の横幅は、前記後面板のＬ字状に折り曲げられた部位の端部と、前記前面板のＬ字状に折り曲げられた部位の端部との距離と同一か又はその距離より狭く、かつ前記天板及び前記底板は、前記後面板のＬ字状に折り曲げられた部位の端部と、前記前面板のＬ字状に折り曲げられた部位の端部との間に位置するように前記側面板に設けられ、
前記後面板と前記前面板の上面には、前記天板から離間しかつ前記天板と面一でしかも前記棚板に連結する締結部材を貫通するための穴も形成されてなる後側補強天板と前側補強天板がそれぞれ設けられ、
前記後面板と前記前面板の下面には、前記底板から離間しかつ前記底板と面一でしかも前記棚板に連結する締結部材を貫通するための穴も形成されてなる後側補強底板と前側補強底板がそれぞれ設けられてなることを特徴とする請求項３又は４に記載の棚板用支柱。
【請求項６】
前記後側補強天板及び前記後側補強底板は、前記側面板及び前記後面板のＬ字状に折り曲げられた部位の端部から離間した状態で前記後面板に設けられ、
前記前側補強天板及び前記前側補強底板は、前記側面板及び前記前面板のＬ字状に折り曲げられた部位の端部から離間した状態で前記前面板に設けられてなることを特徴とする請求項５に記載の棚板用支柱。
【請求項７】
前記蓋体の横幅は、前記後面板のＬ字状に折り曲げられた部位の端部と、前記前面板のＬ字状に折り曲げられた部位の端部との距離より僅かに狭く設定されてなることを特徴とする請求項３乃至６のうちいずれか一つに記載の棚板用支柱。
【請求項８】
前記固定部材は、前記蓋体の内面に当接して蓋体を固定するための磁石であることを特徴とする請求項３乃至７のうちいずれか一つに記載の棚板用支柱。
【請求項９】
前記蓋体には指入れ用の穴が形成されていることを特徴とする請求項１乃至８のうちいずれか一つに記載の棚板用支柱。
【発明の詳細な説明】
【技術分野】
【０００１】
本発明は、上下に位置する棚板間に設けられ両棚板を連結する棚板用支柱に関するものである。
【背景技術】
【０００２】
上下に位置する棚板間に支柱を設けて両棚板を連結するものは多く知られている（例えば、特許文献１，２，３など）。
このような棚板用支柱には、棚板を十分な力で保持するための強度が求められ、特に重量物を載せたり、棚板を複数段にしたりする場合には棚板を安定した状態で支える必要がある。
【０００３】
特許文献１に記載された発明は、縦板で倒Ｈ字状正面形状を呈するように連結されたユニットを使用したものである。
また、特許文献２，３に記載された発明は、中空の角支柱を棚板間に設置して、貫通ボルトで固定するものである。
【先行技術文献】
【特許文献】
【０００４】
【特許文献１】実公開６１−２５４０８号公報
【特許文献２】実公平７−７７８７号公報
【特許文献３】実公平６−４２５２６号公報
【発明の概要】
【発明が解決しようとする課題】
【０００５】
しかしながら、特許文献１に記載の発明のものは、木ネジの頭部がユニットの表面に露出しているので美観性に劣る。また、Ｈ字状に水平に張り出しているので物や商品を収納や展示する場合の空間部分が制限されるといった問題がある。
【０００６】
また、特許文献２及び特許文献３に記載の発明のものでは、角支柱の内部にねじ（ボルト）やビスが設けられているので特許文献１に記載の発明のように張り出したものはないが最上段ではビスやねじの頭が露出したままとなるので外観上見栄えが悪く、キャップなどによって覆う必要がある。しかし、このようにキャップで覆ってもその部分は上面に突出するので美観性に劣る。
また、棚板間を貫通するようにねじ（ボルト）やビスが設けられるものであるため構造が複雑でその分、組付作業が煩雑化しコスト高にもなってしまう。
【０００７】
そこで、本発明の目的とするところは、簡単な構造で美観性に優れるとともに十分な強度を有する棚板用支柱を提供することにある。
【課題を解決するための手段】
【０００８】
上記の目的を達成するために、本発明の請求項１に記載の棚板用支柱は、上下に位置する棚板（５００，５００）間に設けられ両棚板（５００，５００）を連結する棚板用支柱（１）であって、
板状で立設される側面板（１０）の上側，下側，奥側及び手前側の四周端部から右側に向けて天板（２０），底板（３０），後面板（４０）及び前面板（５０）がそれぞれ延び、内部が空洞で右側面が開放され、前記天板（２０）及び底板（３０）には前記棚板（５００）に連結する締結部材を貫通するための穴（２０Ｈ，３０Ｈ）が形成されてなる本体部（１００）と、
前記本体部（１００）を右側から覆って開放した前記右側面を閉じて四角柱型にする、板状で着脱自在の蓋体（２００）を備えることを特徴とする。
【０００９】
また、本発明は、前記本体部（１００）に対して固定部材（４００）を介して着脱自在に取付けられてなるとともに、前記固定部材（４００，４０１，４０２）は、前記蓋体（２００）が閉じられかつ前記両棚板（５００，５００）が連結された際には前記本体部（１００）及び前記蓋体（２００）の表面から露出しないことを特徴とする。
【００１０】
また、本発明は、前記天板（２０）の右側端部は下方にＬ字状に折り曲げられるとともに、前記底板（３０）の右側端部も上方にＬ字状に折り曲げられ、
さらに、前記後面板（４０）の右側端部も前方にＬ字状に折り曲げられるとともに、前記前面板（５０）の右側端部も後方にＬ字状に折り曲げられ、
前記固定部材（４００）は、前記天板（２０）の折り曲げられた部位（２０Ａ）に前記蓋体（２００）側に突出しない状態で設けられるとともに、
前記後面板（４０）及び前面板（５０）の右側への突出量（Ｌ２）は、前記天板（２０）及び底板（３０）の右側への突出量（Ｌ１）に前記蓋体（２００）の厚み（２００Ｔ）を加えた量であり、前記蓋体（２００）で前記本体部（１００）の右側面を閉じたときに、前記蓋体（２００）は前記後面板（４０）及び前面板（５０）の折り曲げられた部位（４０Ａ，５０Ａ）と面一にされてなることを特徴とする。
【００１１】
また、本発明は、前記天板（２０）の右側端部は下方にＬ字状に折り曲げられるとともに、前記底板（３０）の右側端部も上方にＬ字状に折り曲げられ、
さらに、前記後面板（４０）の右側端部も前方にＬ字状に折り曲げられるとともに、前記前面板（５０）の右側端部も後方にＬ字状に折り曲げられ、
前記固定部材（４０２）は、前記天板（２０）の折り曲げられた部位（２０Ａ）に前記蓋体（２００）側に一定量（Ｚ）突出した状態で設けられるとともに、
前記後面板（４０）及び前面板（５０）の右側への突出量（Ｌ２）は、前記天板（２０）の右側への突出量（Ｌ１）に前記一定量（Ｚ）と前記蓋体（２００）の厚み（２００Ｔ）を加えた量であるとともに、前記底板（３０）の右側への突出量（Ｌ１＋Ｚ）に前記蓋体（２００）の厚み（２００Ｔ）を加えた量であり、前記蓋体（２００）で前記本体部（１００）の右側面を閉じたときに、前記蓋体（２００）は前記後面板（４０）及び前面板（５０）の折り曲げられた部位（４０Ａ，５０Ａ）と面一にされてなることを特徴とする。
【００１２】
また、本発明は、前記天板（２０）の横幅（２０Ｓ）及び前記底板（３０）の横幅（３０Ｓ）は、前記後面板（４０）のＬ字状に折り曲げられた部位（４０Ａ）の端部と、前記前面板（５０）のＬ字状に折り曲げられた部位（５０Ａ）の端部との距離（Ｌ３）と同一か又はその距離（Ｌ３）より狭く、かつ前記天板（２０）及び前記底板（３０）は、前記後面板（４０）のＬ字状に折り曲げられた部位（４０Ａ）の端部と、前記前面板（５０）のＬ字状に折り曲げられた部位（５０Ａ）の端部との間に位置するように前記側面板（１０）に設けられ、
前記後面板（４０）と前記前面板（５０）の上面には、前記天板（２０）から離間しかつ前記天板（２０）と面一でしかも前記棚板（５００）に連結する締結部材を貫通するための穴（２４Ｈ，２５Ｈ）も形成されてなる後側補強天板（２４）と前側補強天板（２５）がそれぞれ設けられ、
前記後面板（４０）と前記前面板（５０）の下面には、前記底板（３０）から離間しかつ前記底板（３０）と面一でしかも前記棚板（５００）に連結する締結部材を貫通するための穴（３４Ｈ，３５Ｈ）も形成されてなる後側補強底板（３４）と前側補強底板（３５）がそれぞれ設けられてなることを特徴とする。
【００１３】
また、本発明は、前記後側補強天板（２４）及び前記後側補強底板（３４）は、前記側面板（１０）及び前記後面板（４０）のＬ字状に折り曲げられた部位（４０Ａ）の端部から離間した状態で前記後面板（４０）に設けられ、
前記前側補強天板（２５）及び前記前側補強底板（３５）は、前記側面板（１０）及び前記前面板（５０）のＬ字状に折り曲げられた部位（５０Ａ）の端部から離間した状態で前記前面板（５０）に設けられてなることを特徴とする。
【００１４】
また、本発明は、前記蓋体（２００）の横幅（２００Ｓ）は、前記後面板（４０）のＬ字状に折り曲げられた部位（４０Ａ）の端部と、前記前面板（５０）のＬ字状に折り曲げられた部位（５０Ａ）の端部との距離（Ｌ３）より僅かに狭く設定されてなることを特徴とする。
【００１５】
また、本発明は、前記固定部材（４００，４０２）は、前記蓋体（２００）の内面に当接して蓋体（２００）を固定するための磁石であることを特徴とする。
【００１６】
また、本発明は、前記蓋体（２００）には指入れ用の穴（２００Ｈ）が形成されていることを特徴とする。
【００１７】
ここに示す、「左」とは一方からみると左側であるが、反対側からみると右側になるので、一方からみた場合に、蓋体が右側に位置するものに限定されるものではなく、蓋体が左側に位置するとともに左側面が開放した本体部が右側に位置する棚板用支柱も含まれることを意味する。
【００１８】
なお、上述した括弧内の記号は、図面および後述する発明の実施の形態に記載された対応要素または対応事項を示す。
【発明の効果】
【００１９】
本発明の棚板用支柱によれば、天板及び底板には上下に位置する棚板に連結する締結部材を貫通するための穴が形成されているとともに、本体部の内部は空洞で板状の蓋体は本体部に対して着脱自在に取付けられているので、蓋体を外して本体部の内部から天板を貫通させた、例えば木ねじなどの締結部材で上側に位置する棚板に本体部を固定させ、また本体部の内部から底板を貫通させた締結部材で下側に位置する棚板に本体部を固定させることができる。このとき、締結部材が上下に位置する棚板を突き抜けて露出しないようにすることができる。
そして、その後、蓋体を取付けて本体部の開放した部分を閉じて四角柱型の棚板用支柱にすることで締結部材は本体部の内部に隠れるので特に美観性を悪くすることはない。
また、本体部の内部から上下に向かって締結部材を突出させて締結するだけで上下の棚板を連結することができるので、構造が簡単でしかも十分な強度を得ることができる。
【００２０】
また本発明によれば、蓋体は、本体部に対して固定部材を介して着脱自在に取付けられてなるとともに、固定部材は、蓋体が閉じられかつ両棚板が連結された際には本体部及び蓋体の表面から露出しないので、棚板用支柱自体についても突出部などのない外観上見栄えよいものとすることができる。
固定部材として磁石を使用して蓋体の上部だけを固定するようにしたものは構造が極めて簡単で蓋体を本体部に対して着脱自在にすることができる。また、蓋体に指入れ用の穴を形成することで片手で簡単に蓋体を本体部から取外すことができる。
【００２１】
また本発明によれば、天板，底板，後面板，前面板の右側端部をすべで内方に向けてＬ字状に折り曲げ、天板側に設けられた固定部材が蓋体側に突出しないものでは、後面板及び前面板の右側への突出量を、天板及び底板の右側への突出量に蓋体の厚みを加えた量として蓋体で本体部の右側面を閉じたときに蓋体は後面板及び前面板の折り曲げられた部位と面一にされてなるので美観性に優れる。
また、天板側に設けられた固定部材が蓋体側に一定量（Ｚ）突出したものでは、後面板及び前面板の右側への突出量を、天板の右側への突出量に固定部材の突出量（Ｚ）と蓋体の厚みを加えた量及び底板の右側への突出量に蓋体の厚みを加えた量として蓋体で本体部の右側面を閉じたときに蓋体は後面板及び前面板の折り曲げられた部位と面一にされてなるので美観性に優れる。
【００２２】
また本発明によれば、後面板と前面板の上面には、天板から離間しかつ天板と面一でしかも棚板に連結する締結部材を貫通するための穴も形成されてなる後側補強天板と前側補強天板がそれぞれ設けられ、後面板と前面板の下面にも、底板から離間しかつ底板と面一でしかも棚板に連結する締結部材を貫通するための穴も形成されてなる後側補強底板と前側補強底板がそれぞれ設けられてなるので、上下の棚板に対する締結部材による締結を増加させることができるのでさらに安定的に棚板間を棚板用支柱で連結することができる。
【００２３】
また本発明によれば、後側補強天板及び後側補強底板は、側面板及び前記後面板のＬ字状に折り曲げられた部位の端部から離間した状態で後面板に設けられ、前側補強天板及び前側補強底板は、側面板及び前面板のＬ字状に折り曲げられた部位の端部から離間した状態で前面板に設けられてなるので、後側補強天板及び後側補強底板は後面板に対してだけ、前側補強天板及び前側補強底板は前面板に対してだけに、例えば、打ち抜き型の変更や、溶接などによって簡単に設けることができる。
【００２４】
また本発明によれば、蓋体の横幅を、後面板のＬ字状に折り曲げられた部位の端部と、前記前面板のＬ字状に折り曲げられた部位の端部との距離より僅かに狭く設定したので、蓋体を本体部に取付ける際の位置決めにすることができる。
【図面の簡単な説明】
【００２５】
【図１】本発明の第一実施形態に係る棚板用支柱で蓋体を取外した状態を示す斜視図である。
【図２】本発明の第一実施形態に係る棚板用支柱で蓋体を閉じた状態を示す斜視図である。
【図３】本発明の第一実施形態に係る棚板用支柱の要部縦断面図である。
【図４】本発明の第一実施形態に係る棚板用支柱を使用した例を示す正面図である。
【図５】本発明の第一実施形態に係る棚板用支柱を使用した別の例を示す正面図である。
【図６】本発明の第二実施形態に係る棚板用支柱で蓋体を取外した状態を示す斜視図である。
【図７】本発明の第二実施形態に係る棚板用支柱で蓋体を閉じた状態を示す斜視図である。
【図８】本発明の変形例に係る棚板用支柱の要部縦断面図である。
【図９】本発明の変形例に係る棚板用支柱の要部縦断面図である。
【図１０】本発明の変形例に係る棚板用支柱の要部縦断面図である。
【図１１】本発明の変形例に係る棚板用支柱の要部縦断面図である。
【発明を実施するための形態】
【００２６】
（第一実施形態）
図１乃至図５を参照して、本発明の第一実施形態に係る棚板用支柱１について説明する。棚板用支柱１は本体部１００と蓋体２００からなり、図１は、本体部１００から蓋体２００を取外した状態，図２は蓋体２００を閉じた状態を示している。また、図３は蓋体２００を取外した状態（左側）と閉じた状態（右側）における縦断面図を示している。
棚板用支柱１は、図４及び図５に示されるように、上下に位置する棚板５００，５００間に設けられ両棚板５００，５００を連結するものである。
【００２７】
本体部１００は、図１に示すように、側面板１０と天板２０と底板３０と後面板４０と前面板５０から成り、側面板１０は板状で立設されている。
そして側面板１０の上側，下側，奥側及び手前側の四周端部から右側に向けて天板２０，底板３０，後面板４０及び前面板５０がそれぞれ延びている。
これにより、本体部１００は内部が空洞で右側面が開放された状態になっている。
【００２８】
蓋体２００は、本体部１００を右側から覆って開放した右側面を閉じて、棚板用支柱１を全体として四角柱型にするものである。
蓋体２００は、板状で本体部１００に対して着脱自在にされている。
【００２９】
天板２０，底板３０，後面板４０及び前面板５０の右側端部はそれぞれ内方に向けて折り曲げられている。すなわち、天板２０の右側端部は下方に向けてＬ字状に折り曲げられるとともに、底板３０の右側端部も上方に向けてＬ字状に折り曲げられている。さらに、後面板４０の右側端部も前方に向けてＬ字状に折り曲げられるとともに、前面板５０の右側端部も後方に向けてＬ字状に折り曲げられている。
【００３０】
後面板４０の右側への突出量Ｌ２と前面板５０の右側への突出量Ｌ２は等しく、天板２０の右側への突出量Ｌ１と底板３０の右側への突出量Ｌ１も等しい。そして、後面板４０及び前面板５０の右側への突出量Ｌ２は、天板２０及び底板３０の右側への突出量Ｌ１に蓋体２００の厚み２００Ｔを加えた量としている。
これにより、図２に示すように、蓋体２００で本体部１００の右側面を閉じたときに、蓋体２００は後面板４０及び前面板５０の折り曲げられた部位４０Ａ，５０Ａと面一にされる。
【００３１】
また、天板２０の横幅（前後方向の長さ）２０Ｓと底板３０の横幅（前後方向の長さ）３０Ｓは等しい。天板２０の横幅２０Ｓと底板３０の横幅３０Ｓは、後面板４０のＬ字状に折り曲げられた部位４０Ａの端部と、前面板５０のＬ字状に折り曲げられた部位５０Ａの端部との距離Ｌ３よりも狭く設定され、しかも、天板２０及び底板３０は、後面板４０のＬ字状に折り曲げられた部位４０Ａの端部と、前面板５０のＬ字状に折り曲げられた部位５０Ａの端部との間に位置するように側面板１０に設けられている。
【００３２】
なお、天板２０及び底板３０には棚板５００に連結する締結部材Ｎ（ここでは複数の木ねじを使用した）を貫通するための穴２０Ｈ，３０Ｈが形成されてなる。穴２０Ｈは、天板２０の前後方向に二ケ所，穴３０Ｈは、底板３０の前後方向に二ケ所、計四ケ所設けられている。
これにより、棚板用支柱１と上側の棚板５００とは天板２０を貫通する木ねじＮを介して二ケ所で固定され、棚板用支柱１と下側の棚板５００とは底板３０を貫通する木ねじＮを介して二ケ所で固定される。
【００３３】
また、蓋体２００の横幅（前後方向の長さ）２００Ｓは、後面板４０のＬ字状に折り曲げられた部位４０Ａの端部と、前面板５０のＬ字状に折り曲げられた部位５０Ａの端部との距離Ｌ３より僅かに狭くなるように設定されている。
蓋体２００の中央上部には使用者が指を差し入れることのできる大きさの指入れ用の穴２００Ｈが形成されている。
【００３４】
そして、蓋体２００は本体部１００に対して表面に露出しない固定部材４００、ここでは磁石を介して着脱自在に取付けられている。固定部材４００は、蓋体２００が閉じられかつ両棚板５００，５００が連結された際には本体部１００及び蓋体２００の表面から露出しないように設けられている。ここでは蓋体２００の全体を鉄製としているが、磁石４００が当接する部分に磁性をもたせたものであればよい。
磁石４００は、天板２０の折り曲げられた部位２０Ａの裏側、すなわち側面板１０側に二ケ所設けられ、この二点だけで蓋体２００の内面に当接して蓋体２００を固定している。天板２０の折り曲げられた部位２０Ａには穴２０Ｃが形成され、その穴２０Ｃに磁石４００が側面板１０側から差し込まれている。磁石４００は天板２０の折り曲げられた部位２０Ａから右側に突出しないように設けられている。
【００３５】
棚板用支柱１を使用するときには、蓋体２００を本体部１００から外した状態で、本体部１００の内部から天板２０を貫通させた木ねじＮで上側に位置する棚板５００に本体部１００を固定するとともに、本体部１００の内部から底板３０を貫通させた木ねじＮで下側に位置する棚板５００に本体部１００を固定する。このとき、木ねじＮは上下に位置する棚板５００，５００を突き抜けて露出しないような長さのものにしている。
その後、蓋体２００を磁石４００を介して本体部１００にワンタッチで取付けて、蓋体２００で開放した本体部１００の右側面部分を閉じて、全体として四角柱型の棚板用支柱１とする。
【００３６】
このような棚板用支柱１を使用して棚板５００を連結する場合、図４に示すように、棚板５００を四段にしてその間に棚板用支柱１を上下方向に一列になるように使用して連結したり、図５に示すように、さらに、棚板用支柱１を追加したりするなど、棚板５００の枚数や、棚板用支柱１の位置や個数、あるいは棚板用支柱１の高さを変えたものを使用することで棚板５００，５００間の高さを自由に変えるなど、様々なバリエーションにすることができる。なお、符号Ｋは棚板５００を壁に固定するためのＬ型金具である。
【００３７】
これによれば、本体部１００と上下に位置する棚板５００を締結する木ねじＮは、本体部１００の内部に隠れ、外側に露出することはないので特に美観性を悪くすることない。  このように本体部１００の内部から上下に向かって木ねじＮを突出させて締結するだけで上下の棚板５００，５００を連結することができるので、構造が簡単でしかも十分な強度を得ることができる。
また、蓋体２００も本体部１００に対して表面に露出しない磁石４００によって着脱自在に取付けられてなるので棚板用支柱１自体についても突出部などのない外観上見栄えよいものとすることができる。
蓋体２００の横幅２００Ｓを、後面板４０のＬ字状に折り曲げられた部位４０Ａの端部と、前面板５０のＬ字状に折り曲げられた部位５０Ａの端部との距離Ｌ３より僅かに狭く設定したので、蓋体２００を本体部１００に取付ける際の位置決めにすることができる。
【００３８】
本実施形態に示す、「左」とは一方からみると左側であるが、反対側からみると右側になるので、一方からみた場合に、蓋体２００が右側に位置するものに限定されるものではなく、蓋体２００が左側に位置するとともに左側面が開放した本体部１００が右側に位置する棚板用支柱１も含まれることを意味する。
【００３９】
（第二実施形態）
次に、図６及び図７を参照して、本発明の第二実施形態に係る棚板用支柱１について説明する。
これは、第一実施形態で説明した棚板用支柱１に対して、上面側に天板２０に加えて、後側補強天板２４と前側補強天板２５を設けるともに、下面側に底板３０に加えて、後側補強底板３４と前側補強底板３５を設けて、全体的に棚板５００を支持する強度を向上させたものである。
【００４０】
天板２０の横幅２０Ｓ及び底板３０の横幅３０Ｓは、後面板４０のＬ字状に折り曲げられた部位４０Ａの端部と、前面板５０のＬ字状に折り曲げられた部位５０Ａの端部との距離Ｌ３と同一か又はその距離Ｌ３より狭くされ、しかも天板２０及び底板３０は、後面板４０のＬ字状に折り曲げられた部位４０Ａの端部と、前面板５０のＬ字状に折り曲げられた部位５０Ａの端部との間に位置するように側面板１０に設けられている。
【００４１】
後側補強天板２４は、後面板４０の上面に天板２０と面一の状態で設けられている。また、後側補強天板２４は、天板２０から離間するとともに、側面板１０及び後面板４０のＬ字状に折り曲げられた部位４０Ａの端部からも離間した状態で後面板４０に設けられている。ここでは、後側補強天板２４は後面板４０に対して設けられている。また、後側補強天板２４には、上側の棚板５００に連結する木ねじＮを貫通するための穴２４Ｈが形成されている。
【００４２】
前側補強天板２５は、前面板５０の上面に天板２０と面一の状態で設けられている。また、前側補強天板２５は、天板２０から離間するとともに、側面板１０及び前面板５０のＬ字状に折り曲げられた部位５０Ａの端部からも離間した状態で前面板５０に設けられている。ここでは、前側補強天板２５は前面板５０に対して設けられている。また、前側補強天板２５には、上側の棚板５００に連結する木ねじＮを貫通するための穴２５Ｈが形成されている。
【００４３】
後側補強底板３４は、後面板４０の下面に底板３０と面一の状態で設けられている。また、後側補強底板３４は、底板３０から離間するとともに、側面板１０及び後面板４０のＬ字状に折り曲げられた部位４０Ａの端部からも離間した状態で後面板４０に設けられている。ここでは、後側補強底板３４は後面板４０に対して設けられている。また、後側補強底板３４には、下側の棚板５００に連結する木ねじＮを貫通するための穴３４Ｈが形成されている。
【００４４】
前側補強底板３５は、前面板５０の上面に底板３０と面一の状態で設けられている。また、前側補強底板３５は、底板３０から離間するとともに、側面板１０及び前面板５０のＬ字状に折り曲げられた部位５０Ａの端部からも離間した状態で前面板５０に設けられている。ここでは、前側補強底板３５は前面板５０に対して設けられている。また、前側補強底板３５には、下側の棚板５００に連結する木ねじＮを貫通するための穴３５Ｈが形成されている。
【００４５】
なおここでは、後側補強天板２４，前側補強天板２５，後側補強底板３４，前側補強底板３５については、打ち抜きによって設けるため、側面板１０，天板２０，底板３０，後面板４０のＬ字状に折り曲げられた部位４０Ａの端部，前面板５０のＬ字状に折り曲げられた部位５０Ａの端部からそれぞれ離間させるようにしたが、一体的に製造する場合には離間させないようにしたり、一部だけを離間させるようにしたりしてもよい。
【００４６】
これによれば、後側補強天板２４，前側補強天板２５，後側補強底板３４，前側補強底板３５を新たに加えることによって、上下の棚板５００，５００に連結する木ネジＮの数を増加することができる（ここでは、計八個で第一実施形態の四個の倍にしている）でさらに安定的に棚板５００，５００間を棚板用支柱１で連結することができる。
【００４７】
なお、本発明の実施形態では、締結部材として木ねじＮを使用したが特にこれに限定されるものではない。
【００４８】
また、本発明の実施形態では、固定部材として磁石４００を使用して蓋体２００の上部だけを固定するようにしたが、図８に示すように、底板３０側にも設けて蓋体２００の下部についても固定するようにしてもよい。
【００４９】
また、固定部材としては磁石４００に限定されるものではなく、本体部１００に対して蓋体２００を閉じたときに固定部材が表面に露出しないタイプのものであればよい。
例えば、図９に示すように、蓋体２００の下部に側面板１０側に突出する脚部２００Ｄを設けてそれによって形成された二又部を、底板３０の上方に向けてＬ字状に折り曲げられた部位３０Ａに差し込むとともに、蓋体２００の上部に形成した穴２００Ｃを、天板２０の下方に向けてＬ字状に折り曲げられた部位３０Ａに設けられたガスケット４０１に強い圧力でもって押し込むようにしてもよい。また、ガスケット４０１を本体部１００側に設けるのではなく、図１０に示すように、蓋体２００側に設けるようにしてもよい。
また、本体部１００に対して蓋体２００を吸盤や面ファスナーを利用して取付けるようにしたり、バネを利用したり凹凸を設けることで嵌め込み式の構造にしてもよい。
【００５０】
また、本発明の実施形態では、固定部材としての磁石４００については天板２０の折り曲げられた部位２０Ａから右側に突出しないように設けられているので、天板２０の右側への突出量Ｌ１と底板３０の右側の突出量Ｌ１を同一にして、後面板４０及び前面板５０の右側への突出量Ｌ２を、天板２０及び底板３０の右側への突出量Ｌ１に蓋体２００の厚み２００Ｔを加えた量として、蓋体２００で本体部１００の右側面を閉じたときに、蓋体２００は後面板４０及び前面板５０の折り曲げられた部位４０Ａ，５０Ａと面一にしたが、図１１に示すように、磁石４０２を天板２０の折り曲げられた部位２０Ａに蓋体２００側に突出した状態で設けた場合には、その量Ｚに対応して底板３０の右側への突出量を変えることで、蓋体２００を後面板４０及び前面板５０の折り曲げられた部位４０Ａ，５０Ａと面一にすることができる。
【００５１】
すなわち、磁石４０２が、天板２０の折り曲げられた部位２０Ａに蓋体２００側に一定量Ｚ突出した状態で設けられた場合には、後面板４０及び前面板５０の右側への突出量Ｌ２を、上側では、天板２０の右側への突出量Ｌ１に一定量Ｚと蓋体２００の厚み２００Ｔを加えた量とし、下側では、底板３０の右側への突出量を、天板２０の右側への突出量Ｌ１に一定量Ｚを加えた量（Ｌ１＋Ｚ）とし、その底板３０の右側への突出量（Ｌ１＋Ｚ）に蓋体２００の厚み２００Ｔを加えた量を、後面板４０及び前面板５０の右側への突出量Ｌ２とすることで、蓋体２００で本体部１００の右側面を閉じたときに、蓋体２００を後面板４０及び前面板５０の折り曲げられた部位４０Ａ，５０Ａと面一にすることができる。
【００５２】
また、天板２０の右側への突出量Ｌ１と底板３０の右側の突出量Ｌ１を同一にして、磁石４０２の突出量Ｚ分、蓋体２００の下部に底板３０側に向けて突出量Ｚで突出する部位を設けるようにすることで、蓋体２００を後面板４０及び前面板５０の折り曲げられた部位４０Ａ，５０Ａと面一にするようにしてもよい。
【符号の説明】
【００５３】
１    棚板用支柱
１０    側面板
２０    天板
２０Ａ  天板のＬ字状に折り曲げられた部位
２０Ｃ  穴
２０Ｈ  穴
２０Ｓ  天板の横幅
２４    後側補強天板
２４Ｈ  穴
２５    前側補強天板
２５Ｈ  穴
３０    底板
３０Ａ  底板のＬ字状に折り曲げられた部位
３０Ｃ  穴
３０Ｈ  穴
３０Ｓ  底板の横幅
３４    後側補強底板
３４Ｈ  穴
３５    前側補強底板
３５Ｈ  穴
４０    後面板
４０Ａ  後面板のＬ字状に折り曲げられた部位
５０    前面板
５０Ａ  前面板のＬ字状に折り曲げられた部位
１００    本体部
２００    蓋体
２００Ｃ  穴
２００Ｄ  脚部
２００Ｈ  穴
２００Ｓ  蓋体の横幅
２００Ｔ  蓋体の厚み
４００    磁石（固定部材）
４０１    ガスケット（固定部材）
４０２    磁石（固定部材）
５００  棚板
Ｋ  Ｌ型金具
Ｎ  木ねじ
【図１】
2018015333.tif 000003
【図２】
2018015333.tif 000004
【図３】
2018015333.tif 000005
【図４】
2018015333.tif 000006
【図５】
2018015333.tif 000007
【図６】
2018015333.tif 000008
【図７】
2018015333.tif 000009
【図８】
2018015333.tif 000010
【図９】
2018015333.tif 000011
【図１０】
2018015333.tif 000012
【図１１】
2018015333.tif 000013